(57)【要約】【課題】配管の軸方向の摺動量が設定値より多くなっても、取りり出し管の取り入れ口を塞ぐことがなく、取り出し管から放出される水を確保できる取り出し管付伸縮可撓管継手を提供する。【解決手段】両端に係止部８および中間に開口９を有する円筒形スリーブ３と、円筒形スリーブ３に設けた開口９に連通するように円筒形スリーブ３に取り付けられた取り出し管４と、先端部が円筒形スリーブ３の内面から突出するように円筒形スリーブ３に設けた開口９を軸方向に挟む位置に設けられた一対のストッパー５，５と、円筒形スリーブ３の両端部に設けた係止部８に係合するように円筒形スリーブ３の両端部に配置されたハウジング６，６と、管体２と円筒形スリーブ３の間を封止するようにハウジング６，６に配置されたゴムシールリング７，７とから構成される。【選択図】図１
2008291889.tif 000002
【特許請求の範囲】
【請求項１】
両端に係止部および中間に開口を有する円筒形スリーブと、円筒形スリーブに設けた開口に連通するように円筒形スリーブに取り付けられた取り出し管と、先端部が円筒形スリーブの内面から突出するように円筒形スリーブに設けた開口を軸線方向に挟む位置に設けられた一対のストッパーと、円筒形スリーブの両端部に設けた係止部に係合するように円筒形スリーブの両端部に固定されたハウジングと、管体と円筒形スリーブの間を封止するようにハウジングに配置されたゴムシールリングとを有することを特徴とする取り出し管付伸縮可撓管継手。
【請求項２】
各ストッパーは、着脱自在に円筒形スリーブに取り付けられていることを特徴とする請求項１に記載の取り出し管付伸縮可撓管継手。
【請求項３】
取り出し管付伸縮可撓管継手は、取り出し管を傾斜角度を調整できるように固定金具に取り付けられていることを特徴とする請求項１または２に記載の取り出し管付伸縮可撓管継手。
【発明の詳細な説明】
【技術分野】
【０００１】
本発明は、たとえば、鉄道や道路の消雪配管、公園や農場の散水配管、トンネルの消火配管等に適用される取り出し管付伸縮可撓管継手に関する。
【背景技術】
【０００２】
寒冷地に設置された鉄道や道路においては、鉄道の線路や道路の路面に沿って消雪配管を配置し、消雪配管に間隔を置いて消雪装置を配置し、消雪配管を流れる水を消雪装置の取り出し管から放出することで、鉄道の線路や道路の路面に積もる雪を溶かすようにしている。
【０００３】
同様に、公園や農場においては、育成される芝生や苗に沿って散水配管を配置し、散水配管に間隔を置いて散水装置を配置し、散水配管を流れる水を散水装置の取り出し管から放出することで芝生や苗に水を供給するようにしている。
【０００４】
上記消雪装置や散水装置は、両側に配管接続部を有する本体部と、本体部の長手方向中間部に設けられた取り出し管から構成されており、本体部を接続すべき配管の間に配置し、本体部の一側配管接続部を一方の配管の端部に設けたフランジ部を介して一方の配管に連結し、本体部の他側配管接続部を他方の配管の端部に設けたフランジ部を介して他方の配管に連結している。
【０００５】
上記消雪装置や散水装置は、本体部の両側に設けた配管接続部に配管を結合するようにしているので、本体部に対して配管が移動することができない構成であり、振動や繰り返しの伸縮あるいは地震等により配管に伸縮が発生したも、配管に発生する伸縮量を吸収することができず、本体部や配管を破損させてしまうことがある。
【０００６】
そこで、振動や繰り返しの伸縮あるいは地震等による配管の伸縮に起因する本体部や配管の破損を防ぐために、消雪装置や散水装置を取り出し管付伸縮可撓管継手を有する構成とし、伸縮可撓管継手に配管を軸線方向に摺動自在に接続することで、振動や繰り返しの伸縮あるいは地震等による配管の伸縮を伸縮可撓管継手の内部を軸線方向に摺動する配管により吸収するようにした消雪装置や散水装置が開発されている。
【発明の開示】
【発明が解決しようとする課題】
【０００７】
しかしながら、上記消雪装置や散水装置は、配管を伸縮可撓管継手内を軸線方向に摺動することで配管の伸縮量を吸収するようにしているので、配管の軸方向摺動量が設定値の範囲内であれば、本体部や配管の破損を防ぐことはできるものの、配管の軸方向摺動量が設定値より多いと、伸縮可撓管継手内を摺動する配管の端部同士が当接し、配管の端部が伸縮可撓管継手に設けた取り出し管の取り入れ口を塞ぎ、配管から流れる水を伸縮可撓管継手の取り出し管から放出できないことがある。
【０００８】
本発明の目的は、前記従来技術の有する問題点を解消するためになされたもので、配管の軸線方向の摺動量が設定値より多くなっても、配管が取りり出し管の取り入れ口を塞ぐことがなく、取り出し管から放出される水を確保できる取り出し管付伸縮可撓管継手を提供することにある。
【課題を解決するための手段】
【０００９】
本発明による取り出し管付伸縮可撓管継手は、両端に係止部および中間に開口を有する円筒形スリーブと、円筒形スリーブに設けた開口に連通するように円筒形スリーブに取り付けられた取り出し管と、先端部が円筒形スリーブの内面から突出するように円筒形スリーブに設けた開口を軸方向に挟む部位に設けられた一対のストッパーと、円筒形スリーブの両端部に設けた係止部に係合するように円筒形スリーブの両端部に固定されたハウジングと、管体と円筒形スリーブの間を封止するようにハウジングに配置されたゴムシールリングとから構成される。
【発明の効果】
【００１０】
本発明によれば、一対のストッパーを先端部が円筒形スリーブの内面から突出するように円筒形スリーブに設けた開口を軸方向に挟む位置に設けたことで、振動や繰り返しの伸縮あるいは地震等により配管に伸縮が発生して配管が伸縮可撓管継手を軸線方向に摺動する場合に、配管の軸線方向の摺動を円筒形スリーブに設けたストッパーにより制限することで、伸縮可撓管継手内を摺動する配管の端部同士が当接による伸縮可撓管継手に設けた取り出し管の取り入れ口を塞ぐことを防ぎ、配管から伸縮可撓管継手を通って取り出し管から放出される水を確保することができる。
【００１１】
また、本発明によれば、一対のストッパーを着脱自在に円筒形スリーブに取り付けることで、取り出し管付伸縮可撓管継手の配管への敷設および配管からの分解を簡単に行うことができる。
【発明を実施するための最良の形態】
【００１２】
以下、本発明による取り出し管付伸縮可撓管継手の一実施形態について、添付の図面を参照しながら説明する。  
図１ないし図４は、本発明による取り出し管付伸縮可撓管継手１を鉄道の線路に沿って配置された配管に設置される消雪装置に適用した例を示す図である。
【００１３】
本発明による取り出し管付伸縮可撓管継手１は、図１ないし図３に示すように、接続しようとする配管の端部に接続される一対の管体２，２と、一対の管体２，２の端部を囲むように配置された円筒形スリーブ３と、円筒形スリーブ３の軸線方向中間位置に取り付けられた取り出し管４と、円筒形スリーブ３の取り出し管４より端側の位置に着脱自在に取り付けられた一対のストッパー５，５と、円筒形スリーブ３の両端部に配置されたハウジング６，６と、ハウジング６，６の内面に配置されたゴムシールリング７，７とから構成される。
【００１４】
上記円筒形スリーブ３は、両端部にハウジング６が係着される係止突部８，８および中間に取り出し管４に連通する取り出し口９を有する。円筒形スリーブ３は、両端側から挿入され、互いに間隔を置くように配置された一対の管体２，２を橋絡するように管体２，２の外側に配置されている。円筒形スリーブ３に設けられた一対のストッパー５，５は、円筒形スリーブ３に設けた取り出し口９を軸線方向に挟む位置に先端部５ａが円筒形スリーブ３の内面より内方に突き出るように配置されている。一対のストッパー５，５の円筒形スリーブ３の内面からの突出長さは、円筒形スリーブ３の内部を移動する管体２，２に当たる長さである。したがって、一対のストッパー５，５は、円筒形スリーブ３の内部を互いに近づく方向に動く管体２，２の移動量を制限し、管体２，２の端部の間に間隙Ｌ（図５）形成することで管体２による取り出し口９の閉塞を防ぐようにしている。
【００１５】
上記ハウジング６は、図１および図４に示すように、２つ割りした半体６ａ，６ａと半体６ａ，６ａの両側を結合するボルトナット固定具１０，１０から構成されている。ハウジング６の内面には、図２および図３に示すように、ゴムシールリング７を収容する環状空間１１と円筒形スリーブ４の係止突部８に係合する環状溝１２が形成されている。また、円筒形スリーブ３の中間部上面には、取り出し口９を囲むように支持部１４が形成されている。
【００１６】
上記ハウジング６は、一方のボルトナット固定具１０により半体６ａ，６ａの一側を連結し、他側を開放した状態で環状溝１２が円筒形スリーブ３の端部に設けた係止突部８に係合するように円筒形スリーブ３の外面に配置され、環状空間１１に管体２の外面に装着したゴムシールリング７を収容するように管体２の位置が調節される。そして、ハウジング６は、半体６ａ，６ａの両側をボルトナット固定具１０，１０により固定することで円筒形スリーブ３の両端部に取り付けられる。
【００１７】
上記取り出し管４は、円筒形スリーブ３に形成された支持部１４に配置される支持板１５と、支持板１５に設けた開口１６に連通するように支持板１５に連結される軸部１７と、軸部１７の先端に取り付けられた噴射口１８とを有する。支持板１５は、開口１６が円筒形スリーブ３に設けた取り出し口９に整合するように支持部１４の上に図示しないパッキンを介して配置され、固定具１９，１９により支持部１４に液密に固定される。
【００１８】
なお、上記取り出し管４は、下端部にねじ部を形成した軸部１７と、軸部１７の先端に取り付けられた噴射口１８とから構成し、円筒形スリーブ３に形成された取り出し口９にねじ孔を形成し、軸部１７のねじ部を円筒形スリーブ３に設けた取り出し口９のねじ孔に螺着することで円筒形スリーブ３に固着してもよい。
【００１９】
また、円筒形スリーブ３は、図１および図４に示すように、支持部１４より軸線方向端側の位置に上部取付部２０および下部取付部２１を有する。円筒形スリーブ３に形成した上部取付部２０および下部取付部２１は、図４に示すように、先端部を外方に折り曲げた略断面無コ字状の固定金具２２に固定具２３により連結される。固定金具２２は、鉄道の線路に沿って配置されたコンクリートブロック２４にアンカーボルト２５により固定された固定金具２６に取り付けられる。
【００２０】
上記取り出し管付伸縮可撓管継手１は、円筒形スリーブ３に形成した上部取付部２０および下部取付部２１と固定金具２２との取付位置を調整することで、垂直方向を向く取り出し管４を垂直位置から所定角度傾けた位置に固定することができる。
【００２１】
つぎに、本発明による取り出し管付伸縮可撓管継手１を鉄道の線路に沿って配置された配管に消雪装置として使用した場合の作用について説明する。  
取り出し管付伸縮可撓管継手１は、配管に振動や繰り返しの伸縮あるいは地震等による伸びが発生すると、図５に示すように、配管に接続された管体２，２が円筒形スリーブ３の内部を互いに近づく方向に摺動するが、円筒形スリーブ３には円筒形スリーブ３に設けた取り出し口９を軸方向に挟んで位置に先端部５ａを円筒形スリーブ３の内面より内方に突き出るようにストッパー５，５が設けられている。そのため、円筒形スリーブ３の内部を互いに近づく方向に摺動する管体２，２は、その端部がストッパー５，５に当接することでその動きが止まることで、管体２，２の端部の間に間隙Ｌが形成される。
【００２２】
このように、取り出し管付伸縮可撓管継手１は、配管の伸縮により伸縮可撓管継手内を摺動する管体２，２が円筒形スリーブ３に設けた取り出し管４の取り入れ口９を塞ぐことがないので、配管から管体２，２の内部を流れる水流は、間隙Ｌにより形成される流路を介して円筒形スリーブ３に設けた取り出し口９から取り出し管４に導かれ、取り出し管４に設けた噴射口１８から鉄道の線路に沿って積もった雪あるいは凍結した雪に噴射され、積もった雪または凍結した雪を溶かすことができる。
【００２３】
同様に、取り出し管付伸縮可撓管継手１を設置した配管に振動や繰り返しの伸縮や地震等により配管に縮みが発生すると、配管に接続された管体２，２が円筒形スリーブ３の内部を互いに離れる方向に摺動するが、隣り合う取り出し管付伸縮可撓管継手１，１の円筒形スリーブ３，３には一対のストッパー５，５が先端部５ａを内方に突き出るように設けられているので、円筒形スリーブ３の内部を互いに離れるに摺動する管体２，２は、隣り合う取り出し管付伸縮可撓管継手１，１の円筒形スリーブ３，３にストッパー５，５により動きが制限され、円筒形スリーブ３から抜け出ることはない。
【００２４】
つぎに、本発明による取り出し管付伸縮可撓管継手１の配管への設置手順を図６を参照しながら説明する。  
取り出し管付伸縮可撓管継手１，１に配管３０を取り付ける前段階として、図６（ａ）に示すように、一方の取り出し管付伸縮可撓管継手１を構成する円筒形スリーブ３ａを固定し、他方の取り出し管付伸縮可撓管継手１の円筒形スリーブ３ｂの円筒形スリーブ３ａに対向する側のストッパー５を取り外しておく。配管３０は、図６（ｂ）に示すように、両端部に管体２ａ，２ｂを固定し、管体２ａ，２ｂにゴムシールリング７ａ，７ｂを装着した状態にする。
【００２５】
つぎに、両端部に管体２ａ，２ｂを固定し、管体２ａ，２ｂにゴムシールリング７ａ，７ｂを装着した配管３０を、図６（ｂ）に示すように、一方の管体２ａが円筒形スリーブ３ａの上側に位置し、他方の管体２ｂが円筒形スリーブ３ｂの端部に対向する位置に位置するように配置する。
【００２６】
次に、配管３０を、図６（ｃ）に示すように、配管３０に設けた他方の管体２ｂが円筒形スリーブ３ｂに円筒形スリーブ３ｂに設けたストッパー５に当接するように挿入する。この段階では、配管３０に設けた一方の管体２ａは、一方の円筒形スリーブ３ａの端面から離れた位置にある。
【００２７】
次に、配管３０を一方の管体２ａが図６（ｃ）に示す位置から図６（ｄ）に示す位置に矢印方向に移動するように下降し、配管３０に設けた一方の管体２ａを円筒形スリーブ３ａに対向するように配置し、配管３０を図６（ｄ）に示す矢印方向に移動させる。  次に、配管３０を、６（ｅ）に示すように、円筒形スリーブ３ａの円筒形スリーブ３ｂに対向する側にストッパー５を取り付け、円筒形スリーブ３ｂの円筒形スリーブ３ａに対向する側にストッパー５を取り付け、配管３０に設けた一方の管体２ａを円筒形スリーブ３ａに所定位置まで挿入し、一方の管体２ａに設けたゴムシールリング７ａを円筒形スリーブ３ａに隣接する位置に調整し、円筒形スリーブ３ｂから引き出される他方の管体２ｂに設けたゴムシールリング７ｂを円筒形スリーブ３ｂに隣接する位置に調整する。
【００２８】
最後に、取り出し管付伸縮可撓管継手１，１は、一方の円筒形スリーブ３ａの端部に一方の管体２ａに設けたゴムシールリング７ａを収容するよにハウジング６を取り付け、他方の円筒形スリーブ３ｂの端部に他方の管体２ｂに設けたゴムシールリング７ｂを収容するよにハウジング６を取り付けることで接続しようとする配管３０に設置される。
【００２９】
つぎに、本発明による取り出し管付伸縮可撓管継手１の配管からの取り外し手順を図７を参照しながら説明する。  
取り出し管付伸縮可撓管継手１ａ，１ｂ．１ｃは、配管に設置された状態では、図７（ａ）に示すように，取り出し管付伸縮可撓管継手１ａと取り出し管付伸縮可撓管継手１ｂは配管３０により連結され、取り出し管付伸縮可撓管継手１ｂと取り出し管付伸縮可撓管継手１ｃは配管３０により連結されている。
【００３０】
取り外しの第１段階として、図７（ａ）に示すように，取り出し管付伸縮可撓管継手１ａ，１ｂ．１ｃの円筒形スリーブ３ａ，３ｂ，３ｃに取り付けたハウジング６ａ，６ｂ，６ｃ（ゴムシールリングを含む）を円筒形スリーブ３ａ，３ｂ，３ｃから取り外す。
【００３１】
次に、円筒形スリーブ３ｂの円筒形スリーブ３ａ側のストッパー５および円筒形スリーブ３ｃの円筒形スリーブ３ｂ側のストッパー５ｂを、図７（ｂ）に示すように，円筒形スリーブ３ｂ，３ｃから取り外す。
【００３２】
次に、円筒形スリーブ３ａと円筒形スリーブ３ｂを連結する配管３０を、図７（ｃ）で矢印Ａで示す方向に移動させることで配管３０の一端を円筒形スリーブ３ａから引き出すとともに、配管３０の他端を円筒形スリーブ３ｂに残るストッパー５に当接する位置まで円筒形スリーブ３ｂに挿入する。これに続いて、円筒形スリーブ３ｂと円筒形スリーブ３ｃを連結する配管３０を、図７（ｃ）で矢印Ｂで示す方向に移動させ、配管３０の一端を円筒形スリーブ３ｂから引き出すとともに配管３０の他端を円筒形スリーブ３ｃに残るストッパー５に当接する位置まで円筒形スリーブ３ｃに挿入する。
【００３３】
次に、円筒形スリーブ３ａと円筒形スリーブ３ｂを連結する配管３０を、図７（ｄ）で矢印Ｃで示す方向に引き上げ、引き上げた配管３０を、図７（ｄ）で矢印Ｄで示す方向に移動させることで円筒形スリーブ３ａと円筒形スリーブ３ｂから取り外す。これに続いて、円筒形スリーブ３ｂと円筒形スリーブ３ｃを連結する配管３０を、図７（ｄ）で矢印Ｅで示す方向に引き上げ、引き上げた配管３０を、図７（ｄ）で矢印Ｆで示す方向に移動させることで円筒形スリーブ３ｂと円筒形スリーブ３ｃから取り外す。
【００３４】
最後に、配管３０，３０を接続した円筒形スリーブ３ｂを、図７（ｅ）に示すように，取り付け位置から取り取り外す。これにより、取り出し管付伸縮可撓管継手１ａ，１ｂ．１ｃの内の取り出し管付伸縮可撓管継手１ｂが配管の設置位置から取り外される。
【００３５】
なお、上記実施の形態では、本発明による取り出し管付伸縮可撓管継手１を消雪装置とした例について説明したが、本発明による取り出し管付伸縮可撓管継手１は、公園や農場の散水配管に設置される散水装置として用いたり、トンネルの消火配管に設置されるスプリンカー装置として用いることもできるのはもちろんである。
【図面の簡単な説明】
【００３６】
【図１】本発明による取り出し管付伸縮可撓管継手の側面図である。
【図２】本発明による取り出し管付伸縮可撓管継手の横断面図である。
【図３】本発明による取り出し管付伸縮可撓管継手の縦断面図である。
【図４】本発明による取り出し管付伸縮可撓管継手の端面図である。
【図５】本発明による取り出し管付伸縮可撓管継手の作用を示す図である。
【図６】本発明による取り出し管付伸縮可撓管継手の配管への設置手順を示す図である。
【図７】本発明による取り出し管付伸縮可撓管継手の配管へからの取り外し手順を示す図である。
【符号の説明】
【００３７】
１  取り出し管付伸縮可撓管継手
２  管体
３  円筒形スリーブ
４  取り出し管
５  ストッパー
６  ハウジング
７  ゴムシールリング
【図１】
2008291889.tif 000003
【図２】
2008291889.tif 000004
【図３】
2008291889.tif 000005
【図４】
2008291889.tif 000006
【図５】
2008291889.tif 000007
【図６】
2008291889.tif 000008
【図７】
2008291889.tif 000009